(57)【要約】【課題】ＣＣＤカメラと共に移動して検査を行っても、光ファイバーの劣化等が生じることがなく、被検査部を明るく均一に照明することができ、コンパクトで設置スペースが小さくてすむリング型照明装置を提供する。【解決手段】このリング型照明装置１は、面発光型発光ダイオード６と、その発光面を囲むように配置された筒状ミラー８と、基端部を結束されて筒状ミラーの面発光型発光ダイオードの発光面に対向する開口部に挿入され、先端部はリング状に配列された光ファイバー束１２と、光ファイバー束の先端部の光出射部の外周を囲むように配置され、少なくとも内周が反射面をなす環状ミラー１７，１８と、前記各部品を一体に保持すると共に、開口部５を有するハウジング２とを備え、ファイバー束の先端部から出射された光が直接又は環状ミラーに反射されて、被検査体に照射されるように構成されている。【選択図】図１
2010127897.tif 000002
【特許請求の範囲】
【請求項１】
光源部から光ファイバー束を介して供給された光をリング状に出射させて被検査体に集光照射するリング型照明装置において、
前記光源部となる面発光型発光ダイオードと、
前記面発光型発光ダイオードの発光面を囲むように配置された、内面を光反射率の高い材料で形成された筒状ミラーと、
基端部を結束されて前記筒状ミラーの前記面発光型発光ダイオードの発光面に対向する開口部に挿入され、先端部はリング状に配列されて保持された光ファイバー束と、
前記光ファイバー束の先端部の光出射部の外周を囲むように配置され、少なくとも内周が反射面をなす環状ミラーと、
前記各部品を一体に保持すると共に、前記光ファイバー束の先端部のリング状配列の中心部に設けられた開口部を有するハウジングとを備えていることを特徴とするリング型照明装置。
【請求項２】
前記ハウジングは、放熱フィンが装着された一つの側壁を有し、この側壁に対して垂直な一対の対向する壁部に前記開口部が設けられていて、前記側壁の高さが前記一対の対向する壁部の幅及び長さに比べて短い、全体としてフラットな箱型をなしており、前記側壁の内面に前記面発光型ダイオードが設けられ、この面発光型ダイオードの発光面を囲むように前記筒状ミラーが配置され、前記光ファイバー束の基端部が該面発光型ダイオードの発光面に対向するように前記筒状ミラーの開口部に配置され、前記光ファイバー束の先端部が、前記側壁に対して垂直な一つの壁部の開口部内周に沿ってリング状に配列され、この壁部に前記環状ミラーが装着されている請求項１記載のリング型照明装置。
【請求項３】
前記筒状ミラーは、前記面発光型発光ダイオードの出射方向に向けて次第に広がるテーパ状又は放物面状の反射面を有している請求項１又は２記載のリング型照明装置。
【請求項４】
前記筒状ミラーは、前記面発光型発光ダイオードの出射方向に向けて次第に広がるテーパ状又は放物面状の反射面を有する第１のリングと、円筒状の反射面を有する第２のリングとを、それらの間に拡散板を配置して組付けることにより構成されている請求項３記載のリング型照明装置。
【請求項５】
前記光ファイバー束の先端部は、同心円状に複数列で配列され、それぞれの列の光出射部の外側に前記環状ミラーが配置されている請求項１〜４のいずれか１つに記載のリング型照明装置。
【請求項６】
前記環状ミラーは、その内周に、光出射方向に向けて次第に内径が小さくなるテーパ状又は放物面状の反射面を有し、前記光ファイバー束の先端部から出射された光が前記環状ミラーに反射されて、被検査体に集光照射されるように構成されている請求項１〜５のいずれか１つに記載のリング型照明装置。
【請求項７】
前記環状ミラーは、被検査体に対する距離に応じて、異なる傾斜角の反射面を有するものと交換可能とされている請求項６記載のリング型照明装置。
【発明の詳細な説明】
【技術分野】
【０００１】
本発明は、ＣＣＤカメラ等によって、被検査体の欠損部や異物の付着等を検査したり、電子部品の組立時における位置精度などを検出したりするのに用いられるリング型照明装置に関する。
【背景技術】
【０００２】
例えば、飲食品等に用いられる瓶、缶等の容器においては、欠損箇所や、異物の付着等があると、それらが口に入って人体に危害を与える虞れがあり、缶等では欠損部から腐食して不良品となることがあるため、飲食品等を充填する前に容器を検査することが行われている。
【０００３】
この検査は、ＣＣＤカメラ等によって容器の特に内周を撮像し、正常な容器の撮像結果と比較して異常がないかを判断させることにより、自動的に行われている。このとき、ＣＣＤカメラの撮像部位を照明装置によって明るく均一に照らし出す必要がある。
【０００４】
また、半導体基板のパターンの確認、処理ライン上における位置決め精度の確認、ボンディングワイヤの接続検査などにおいても、ＣＣＤカメラ等を利用して自動的な検査が行われており、この場合もＣＣＤカメラの撮像部位を照明装置によって明るく均一に照らし出す必要がある。
【０００５】
このような照明装置として、下記特許文献１には、多数本の光ファイバーの基端を集束して受光部とし、前記光ファイバーの先端を環状又は線状に配列して光出射部としたライトガイドにおいて、前記出射部に沿ってその片側に、かつ、前記光ファイバーの先端から前方に突出して、反射板を設けたことを特徴とするライトガイドが開示されている。
【０００６】
また、下記特許文献２には、多角錘台の中央に撮像用の孔を設け、該多角錘台の周壁を構成する複数の斜面を反射面としてなる多面反射鏡と、前記多面反射鏡のそれぞれの反射面に向かって放射状に配列された複数の第１発光ダイオード群とを備え、前記複数の第１発光ダイオード群が発した光が、前記多面反射鏡のそれぞれの反射面で反射されて被検査物に照射されるように構成すると共に、第１発光ダイオード群の周囲に、更に第２発光ダイオード群を環状に配列し、環状に配列された第２発光ダイオード群が発した光が、直接被検査物に向けて照射されるように構成した発光ダイオード照明光源が開示されている。
【０００７】
一方、液晶基板等の製造ライン上で基板上の気泡の含有、欠損、異物の付着等を検査するのに用いられる、光を被検査体に線状に照射するライン型照明装置として、下記特許文献３には、光源部となる面発光型発光ダイオードと、前記面発光型発光ダイオードの発光面を囲むように配置された、内面を光反射率の高い材料で形成された筒状ミラーと、基端部を結束されて前記筒状ミラーの前記面発光型発光ダイオードの発光面に対向する開口部に挿入され、先端部は線状に配列されて保持された光ファイバー束と、一側面が前記光ファイバー束の先端部に対面するように配置されて光入射面をなし、該一側面に対向する面が光出射面をなす導光板とを備えていることを特徴とするライン型照明装置が開示されている。
【特許文献１】特開平１０−１３２７５２号公報
【特許文献２】特開２００２−２３７９６７号公報
【特許文献３】特開２００８−２８３６号公報
【発明の開示】
【発明が解決しようとする課題】
【０００８】
しかしながら、特許文献１記載のライトガイドでは、光ファイバーの基端部を集束させた受光部を、ハロゲン又はキセノンランプからなる光源に接続し、光ファイバーの先端部が配列された出射部を、被検査体に向けて動かしながら検査を行うため、光の導光路をなす光ファイバーに繰り返しの屈曲応力が作用し、光ファイバーの劣化による寿命の低下が生じる可能性があった。ハロゲン又はキセノンランプは、ランプ熱が多量に発生するため、冷却ファンを設ける必要があり、装置が大型化するという問題があった。
【０００９】
特許文献２記載の照明装置では、発光ダイオードを環状に配列して、発光ダイオード群が発した光が、直接被検査物に向けて照射されるように構成しているため、光のムラが発生しやすく、被検査部を均一に照明しにくいという問題があった。また、発光ダイオードを装着する基板が必要となるため、発光ダイオードを曲面形状等に沿って配列することが困難であり、装置が大型化するという問題があった。
【００１０】
特許文献３のライン型照明装置は、液晶基板等の製造ラインに、一般的には固定して設置されるものであり、被検査体の移動方向に対して直交する方向に沿って線状に照明することを目的としているため、ＣＣＤ等で特定箇所を撮像して検査する照明装置としては適していなかった。また、本体ハウジングの天壁に面発光型発光ダイオードを装着し、出射される光を光ファイバーに導いて、天壁と対向する底面側から光が出射されるようにしているため、リング型照明装置に好適な構成にはなっていなかった。
【００１１】
したがって、本発明の目的は、ＣＣＤカメラと共に移動して検査を行っても、光ファイバーの劣化等が生じることがなく、被検査部を明るく均一に照明することができ、コンパクトで設置スペースが小さくてすむリング型照明装置を提供することにある。
【課題を解決するための手段】
【００１２】
上記目的を達成するため、本発明は、光源部から光ファイバー束を介して供給された光をリング状に出射させて被検査体に集光照射するリング型照明装置において、
前記光源部となる面発光型発光ダイオードと、
前記面発光型発光ダイオードの発光面を囲むように配置された、内面を光反射率の高い材料で形成された筒状ミラーと、
基端部を結束されて前記筒状ミラーの前記面発光型発光ダイオードの発光面に対向する開口部に挿入され、先端部はリング状に配列されて保持された光ファイバー束と、
前記光ファイバー束の先端部の光出射部の外周を囲むように配置され、少なくとも内周が反射面をなす環状ミラーと、
前記各部品を一体に保持すると共に、前記光ファイバー束の先端部のリング状配列の中心部に設けられた開口部を有するハウジングとを備えていることを特徴とするリング型照明装置を提供するものである。
【００１３】
本発明によれば、各部品がハウジングに装着されて一体化されており、外部電源等と電線で接続されるだけなので、ＣＣＤカメラと共に移動して検査を行っても、光ファイバーに繰り返しの屈曲応力が作用することはなく、耐久性及び信頼性を高めることができる。
【００１４】
また、面発光型発光ダイオードからなる均一な面光源から照射される光を、筒状ミラーによって効率よく、光ファイバー束の基端部に入射させて、リング状に配列された光ファイバー束の先端部から出射された光を、直接又は環状ミラーによって反射させて被検査体に照射させるようにしたので、ハウジングの開口部を通して配置されたＣＣＤカメラ等によって検査する被検査部を、明るく均一に照明することができる。
【００１５】
更に、面発光型発光ダイオードは、それ自体基板に一体化されているため、別途基板を必要とせず、ハウジングの側壁等に直接固定することができ、光ファイバー束は、面発光型発光ダイオードとリング状の光出射部とを接続するだけの長さでハウジング内に配置され、光ファイバー束のリング状に配列された先端部には、環状ミラーを取付けるだけでよいので、装置全体がコンパクトになり、ＣＣＤカメラや移動機構が設けられた検査装置の狭いスペースにも容易に設置することができる。
【００１６】
本発明の実施に際し、前記ハウジングは、放熱フィンが装着された一つの側壁を有し、この側壁に対して垂直な一対の対向する壁部に前記開口部が設けられていて、前記側壁の高さが前記一対の対向する壁部の幅及び長さに比べて短い、全体としてフラットな箱型をなしており、前記側壁の内面に前記面発光型ダイオードが設けられ、この面発光型ダイオードの発光面を囲むように前記筒状ミラーが配置され、前記光ファイバー束の基端部が該面発光型ダイオードの発光面に対向するように前記筒状ミラーの開口部に配置され、前記光ファイバー束の先端部が、前記側壁に対して垂直な一つの壁部の開口部内周に沿ってリング状に配列され、この壁部に前記環状ミラーが装着されていることが好ましい。
【００１７】
この態様によれば、全体としてフラットな箱型をなすハウジングの側壁に面発光型ダイオードを配置し、この側壁に対して垂直な一対の対向する壁部に開口部を設け、この開口部の内周に沿って光ファイバー束の先端部をリング状に配列すると共に、環状ミラーを装着したので、装置全体が薄型でコンパクトとなり、検査装置の狭いスペースに更に容易に配置することができる。
【００１８】
また、前記筒状ミラーは、前記面発光型発光ダイオードの出射方向に向けて次第に広がるテーパ状又は放物面状の反射面を有していることが好ましい。
【００１９】
この態様によれば、面発光型発光ダイオードから出射された光を、更に効率よく光ファイバー束の基端部に入射させることができる。
【００２０】
更に、前記筒状ミラーは、前記面発光型発光ダイオードの出射方向に向けて次第に広がるテーパ状又は放物面状の反射面を有する第１のリングと、円筒状の反射面を有する第２のリングとを、それらの間に拡散板を配置して組付けることにより構成されていることが好ましい。
【００２１】
この態様によれば、第１のリングのテーパ状の反射面によって、面発光型発光ダイオードから出射された光を、効率よく光ファイバー束の基端部に入射させることができると共に、拡散板を通過させることによって光ファイバー束に入射される光をより均一にすることができる。
【００２２】
更に、前記光ファイバー束の先端部は、同心円状に複数列で配列され、それぞれの列の光出射部の外側に前記環状ミラーが配置されており、外側に配置された環状ミラーほど反射面の傾斜角が大きくされていることが好ましい。
【００２３】
この態様によれば、同心円状に複数列で配列された光ファイバー束の先端部から、同心円状に光が出射されて、それぞれの同心円の光が環状ミラーによって集光されて照射されるので、被検査部を更に明るく均一に照明することができる。
【００２４】
更に、前記環状ミラーは、その内周に、光出射方向に向けて次第に内径が小さくなるテーパ状又は放物面状の反射面を有し、前記光ファイバー束の先端部から出射された光が前記環状ミラーに反射されて、被検査体に集光照射されるように構成されていることが好ましい。
【００２５】
この態様によれば、光ファイバー束の先端部から出射された光が前記環状ミラーに反射されて、被検査体に集光照射されるので、被検査体の特定スポットをより明るく照明することができる。
【００２６】
更に、環状ミラーの内周がテーパ状又は放物面状の反射面をなす上記態様において、前記環状ミラーは、被検査体に対する距離に応じて、異なる傾斜角の反射面を有するものと交換可能とされていることが好ましい。
【００２７】
この態様によれば、検査対象によって被検査体に対する距離が変更されても、環状ミラーを交換するだけで対応することができ、作業性及び汎用性を高めることができる。
【発明の効果】
【００２８】
本発明によれば、ＣＣＤカメラと共に移動して検査を行っても、光ファイバーに繰り返しの屈曲応力が作用することはなく、耐久性及び信頼性を高めることができる。また、面発光型発光ダイオードを用い、筒状ミラーによって効率よく光ファイバー束の基端部に入射させ、光ファイバー束の先端部から出射された光を環状ミラーによって反射させて被検査体に集光照射させるようにしたので、被検査部を明るく均一に照明することができる。更に、装置全体がコンパクトになり、ＣＣＤカメラや移動機構が設けられた検査装置の狭いスペースにも容易に設置することができる。
【発明を実施するための最良の形態】
【００２９】
以下、図面を参照して本発明の一実施形態について説明する。
【００３０】
図１〜３に示すように、このリング型照明装置１は、全体としてフラットな箱型をなすハウジング２を有している。ハウジング２の１つの側壁２ａには、放熱フィン３がボルト４によって取付けられており、放熱フィン３は、基部３ａと、羽根部３ｂとで構成されていて、基部３ａが前記１つの側壁２ａを構成している。
【００３１】
ハウジング２は、上記１つの側壁２ａ（放熱フィン３）と、他の側壁２ｂ、２ｃ、２ｄと、これらの側壁２ａ〜２ｄに対して垂直な一対の対向する壁部２ｅ、２ｆ、２ｇとで囲まれて構成されている。壁部２ｅは、側壁２ａ〜２ｄに連結された１枚の板からなり、下方に向けて照明光を照射する場合には、天板側に位置する。壁部２ｆ、２ｇは、下方に向けて照明光を照射する場合、底面側に位置する面を覆うように、ボルト４によって固定されている。
【００３２】
そして、ハウジング２の側壁２ａ〜２ｄの高さＨが、側壁２ａ〜２ｄと垂直な一対の対向する壁部２ｅ、２ｆ、２ｇの幅Ｗ及び長さＬよりも短くなっていて、ハウジング２は全体としてフラットな箱型をなしている。
【００３３】
上記の使用態様で天板側に位置する壁部２ｅと、底面側に位置する１つの壁部２ｇとには、図２に示すように、ＣＣＤカメラ２０を挿入するための開口部５が設けられている。この開口部５の内周には、円筒壁２ｈが配置されている。
【００３４】
図４を併せて参照すると、ハウジング２の１つの側壁２ａを構成する、放熱フィン３の基部３ａの内面には、面発光型発光ダイオード（以下「面発光ＬＥＤ」とする）６が装着されている。
【００３５】
面発光ＬＥＤ６としては、市販の各種のものが使用でき、できるだけ高輝度で均一に発光するものが好ましく採用される。発光色は、赤、緑、黄、橙、青、白等のいずれでもよく、用途に応じて適宜選択すればよい。面発光ＬＥＤの市販品としては、例えば商品名「ＬＬ４１」（ＩＤＥＣオプトデバイス株式会社製）、商品名「ＣＬ−Ｌ１００−２４ＷＮＰ」（シチズン電子株式会社製）などが挙げられる。
【００３６】
また、放熱フィン３の基部３ａの内面には、面発光ＬＥＤ６を囲むように、筒状のホルダ７が装着されている。そして、このホルダ７の内部には、第１のリング９と、第２のリング１０とからなる筒状ミラー８が配置されている。第１のリング９の内周には、面発光ＬＥＤ６の光出射方向に向けて次第に広がる反射面、好ましくはテーパ状又は放物面状の反射面９ａが形成されている。第２のリング１０の内周には、円筒状の反射面１０ａが形成されている。
【００３７】
第１のリング９の反射面９ａ及び第２のリング１０の反射面１０ａは、例えばこれらのリング９，１０自体を光反射率の高い金属材料で形成し、その内面を研磨したもので構成してもよく、金属又は合成樹脂からなる筒体の内面に金属蒸着を施したり、金属箔を貼着したりして構成してもよい。
【００３８】
そして、第１のリング９と、第２のリング１０との間には、拡散板１１が配置されている。拡散板１１は、必ずしも必要なものではないが、面発光ＬＥＤ６から出射して、後述する光ファイバー束１２に入射する光の強度をより均一化することができる。
【００３９】
また、ホルダ７の面発光ＬＥＤ６と対向する開口部には、光ファイバー束１２の基端部１２ａが結束リング１３で結束されて、挿入保持されている。その結果、光ファイバー束１２の基端部１２ａの端面が、面発光ＬＥＤ６と対面し、面発光ＬＥＤ６から出射される光が入射するようになっている。
【００４０】
本発明に用いる光ファイバーとしては、ガラス、プラスチック等の各種材質のものが使用できるが、好ましくはプラスチックファイバーが用いられる。前記光ファイバーの長さは、５〜３０ｃｍが好ましく、７〜１５ｃｍがより好ましい。５ｃｍより短いと、光ファイバー束の先端部をリング状に広げることが困難となり、３０ｃｍより長いと光損失が増大すると共に光ファイバーが折損しやすくなるので好ましくない。また、各光ファイバーの長さは、全て同じ長さである必要はなく、基端部１２ａからリング状に配列された先端部１２ｂに至る個々の光ファイバーの経路に合わせて、できるだけ弛まないようにカットされていてもよい。なお、１つの光ファイバー束１２の光ファイバー結束数は、特に限定されないが、５０〜１０００本が好ましく、１００〜７００本がより好ましい。
【００４１】
更に、図５を併せて参照すると、光ファイバー束１２の先端部１２ｂは、ランダムな配列で広げられて、開口部５の内周に沿って２重の同心円をなすように配列されている。すなわち、円筒壁２ｈの壁部２ｇ側の外周に、中間リング１４が配置されて、円筒壁２ｈの外周と、中間リング１４の内周との間に、上記同心円の内側のリング状配列部分が挟持されて、内側リング状発光部１５が形成されている。また、中間リング１４の外周には、ハウジング２の底面側を覆う壁部２ｇの開口部内周が配置されており、中間リング１４の外周と、壁部２ｇの開口部内周との間に、外側のリング状配列部分が挟持されて、外側リング状発光部１６が形成されている。
【００４２】
そして、内側リング状発光部１５の外周に、第１環状ミラー１７が配置され、外側リング状発光部１６の外周に、第２環状ミラー１８が配置されている。各環状ミラー１７，１８の内周面は、光出射方向に向けて次第に内径が小さくなる反射面、好ましくはテーパ状又は放物面状の反射面１７ａ、１８ａをなしており、各反射面１７ａ、１８ａの、光ファイバー先端部の光出射方向に対する傾斜角は、外側の環状ミラー１８の方が、内側の環状ミラー１７よりも大きくなるようにされている。それによって、両環状ミラー１７、１８で反射された光が、被検査体１９の検査スポット１９ａに集光するように構成されている。ただし、環状ミラー１７、１８の内周は、単なる円筒状のミラーをなしていてもよく、その場合には、各リング状発光部１５、１６から出射された光の拡散を抑えて、所定の面積を有する領域に均一な光を照射させることができる。
【００４３】
また、図３に示すように、各環状ミラー１７，１８には、ボルト挿通孔１７ｂ、１８ｂが形成されており、用途によって被検査体１９までの距離が変更されたときには、ボルト挿通孔１７ｂ、１８ｂを通して螺着されたボルトを外して、環状ミラー１７，１８を交換することにより、集光位置を変えることができるようになっている。
【００４４】
なお、環状ミラー１７，１８の反射面１７ａ、１８ａは、前述した第１のリング９の反射面９ａ及び第２のリング１０の反射面１０ａと同様な材料で構成することができる。また、内側の環状ミラー１７は、その外周面も反射面としてもよい。
【００４５】
次に、このリング型照明装置１の使用方法について説明する。
【００４６】
図２，５に示すように、例えば被検査体１９が下方にあって、上方に配置されたＣＣＤカメラによって、被検査体１９の特定の検査ポイント１９ａを撮像して、損傷や異物の有無を検出したり、部品の位置精度を検出したりする場合、リング型照明装置１の同心円をなすリング状発光部１５，１６が下面を向くように、リング型照明装置１を支持する。また、ＣＣＤカメラ２０は、リング型照明装置１の開口部５を通して、リング状発光部１５，１６のほぼ中心に配置する。
【００４７】
この状態で、面発光ＬＥＤ６を発光させると、図４に示すように、面発光ＬＥＤ６から出射される光Ｌが、筒状ミラー８を構成する第１のリング９のテーパ状の反射面９ａで反射されて、光ファイバー束１２の基端部１２ａの端面方向に向かい、拡散板１１を通過して、第２のリング１０の円筒状の反射面１０ａで外側への拡散を防止されつつ、光ファイバー束１２の基端部１２ａに、ほぼ均一な光となって入射する。
【００４８】
この光Ｌは、光ファイバー束１２の各光ファイバー内を通って、同心状に配列された内側リング状発光部１５及び外側リング状発光部１６から出射される。すると、図５に示すように、内側リング状発光部１５から出射された光は、内側の環状ミラー１７内周の反射面１７ａで反射され、また、外側リング状発光部１６から出射された光は、外側の環状ミラー１８内周の反射面１８ａで反射されて、それぞれ集光され、被検査体１の検査スポット１９ａに照射される。
【００４９】
そして、開口部５を通して配置されたＣＣＤカメラによって、検査スポット１９ａを撮像することにより、損傷や異物の有無を検出したり、部品の位置精度を検出したりすることができる。
【００５０】
また、このリング型照明装置１は、各部品がハウジング２に一体化されて作られており、電源供給装置等の外部装置とは電線で接続されるだけなので、検査装置の駆動部にＣＣＤカメラ等と一緒にセットされて、被検査体１９の移動や各部の確認のために、高速で移動しながら検査される場合でも、光ファイバー束１２に繰り返しの屈曲応力等がかかることはなく、また、光ファイバー束１２が比較的短くなっているので、内部でのガタ付きも生じにくくなっており、耐久性を高めることができる。
【００５１】
更に、面発光ＬＥＤ６は、それ自体が基板と一体化されていて、別途基板上に実装する必要がなく、放熱フィン３の基部３ａ等に直接固定できるので、半田付け部が少なくてすみ、装置の信頼性を高めることができる。
【００５２】
更に、ＬＥＤを多数並べたものなどと比べて、全体の構成が簡単になり、コンパクト化を図ることができ、照明ムラも少なくすることができる。更にまた、ハロゲンランプ等を光源とする従来の照明装置に比べて、低電力で長寿命化を図ることができる。
【００５３】
更にまた、ハウジング２は、全体としてフラットな箱型をなしているので、ＣＣＤカメラや駆動機構を備えた検査装置の狭いスペースにも容易に設置することができる。
【図面の簡単な説明】
【００５４】
【図１】本発明のリング型照明装置の一実施形態を示す平面断面図である。
【図２】同リング型照明装置の側面断面図である。
【図３】同リング型照明装置の斜め下方から見た斜視図である。
【図４】同リング型照明装置の要部を示す部分拡大平面断面図である。
【図５】同リング型照明装置の要部を示す部分拡大側面断面図である。
【符号の説明】
【００５５】
１  リング型照明装置
２  ハウジング
２ａ  １つの側壁
２ｂ、２ｃ、２ｄ  他の側壁
２ｅ、２ｆ、２ｇ  １つの側壁に垂直な一対の対向する壁部
２ｈ  円筒壁
３  放熱フィン
３ａ  基部
３ｂ  羽根部
４  ボルト
５  開口部
６  面発光ＬＥＤ
７  ホルダ
８  筒状ミラー
９  第１のリング
９ａ  テーパ状の反射面
１０  第２のリング
１０ａ  円筒状の反射面
１１  拡散板
１２  光ファイバー束
１２ａ  基端部
１２ｂ  先端部
１３  結束リング
１４  中間リング
１５  内側リング状発光部
１６  外側リング状発光部
１７  第１環状ミラー
１７ａ  ボルト挿通孔
１８  第２環状ミラー
１８ａ  ボルト挿通孔
１９  被検査体
２０  ＣＣＤカメラ
【図１】
2010127897.tif 000003
【図２】
2010127897.tif 000004
【図３】
2010127897.tif 000005
【図４】
2010127897.tif 000006
【図５】
2010127897.tif 000007